(57)【要約】布地物品、特に衣類、亜麻布、及び服地を親油性流体で洗浄するための、シリコーン含有ポリマーを含有する組成物は、改善された汚れ洗浄性を提供すると共に、特に水の影響を受けやすい物品に優れた衣類ケアを提供する。【特許請求の範囲】
【請求項１】
ポリオール置換基、ポリアミン置換基、アルカノールアミン置換基、及びこれらの組み合わせから成る群から選択される水素結合置換基で官能化されたシリコーン含有ポリマーを含む、消費可能な洗剤組成物。
【請求項２】
前記シリコーン含有ポリマーは、ポリオール置換基で官能化されている、請求項１に記載の消費可能な洗剤組成物。
【請求項３】
前記シリコーン含有ポリマーは、モノアミン類、モノアルコール類、ポリアルキレンオキシド類、アミド類、及びこれらの組み合わせから成る群から選択される少なくとも一つの任意単位で更に官能化されている、請求項１に記載の消費可能な洗剤組成物。
【請求項４】
前記シリコーン含有ポリマーは、ポリオール置換基で官能化されており、前記組成物は、更に環式シロキサンの親油性流体を含む、請求項１に記載の消費可能な洗剤組成物。
【請求項５】
親油性流体と請求項１〜４のいずれか１項に記載の消費可能な洗剤組成物とを含む、洗浄組成物。
【請求項６】
前記親油性流体がＤ５である、請求項５に記載の洗浄性組成物。
【請求項７】
該シリコーン含有ポリマーが、ポリオール置換基で官能化されている、請求項６に記載の洗浄組成物。
【請求項８】
前記シリコーン含有ポリマーが、モノアミン類、モノアルコール類、ポリアルキレンオキシド類、アミド類、及びこれらの組み合わせから成る群から選択される少なくとも一つの任意単位で更に官能化されている、請求項７に記載の洗浄組成物。
【請求項９】
布地物品を洗浄する方法において、洗浄する必要のある布地物品を、請求項１〜４のいずれか１項に記載の消費可能な洗剤組成物及び／又は請求項５〜８のいずれか１項に記載の洗浄組成物、と接触させることを含む方法。
【請求項１０】
該布地物品は、ポリオール置換基、ポリアミン置換基、アルカノールアミン置換基、及びこれらの組み合わせから成る群から選択される水素結合置換基で官能化されたシリコーン含有ポリマーを含有する消費可能な洗剤組成物で前処理される、請求項９に記載の方法。
【発明の詳細な説明】
【技術分野】
【０００１】
本発明は、布地物品、特に衣服、亜麻布及び服地のような物品を洗浄するための組成物に関し、この組成物は、改善された汚れ洗浄性を提供すると共に、水の影響を受けやすい物品に優れた衣類ケアを提供する。
【背景技術】
【０００２】
布地物品の洗浄に関して、消費者は一般に従来の洗濯洗浄か又はドライクリーニングの選択がある。
【０００３】
従来の洗濯洗浄は、典型的には消費者の家庭又はコインランドリーのような専用の場所において、比較的多量の水により洗濯機で行われる。洗濯機及び洗濯用洗剤は非常に高性能なものとなったが、従来の洗濯プロセスでは、まだ布地物品は移染する可能性、及び縮む可能性に曝されている。消費者が使用する布地物品の大部分は、従来の洗濯プロセスにおける洗浄に適していない。「洗濯機で安全」と考えられる布地物品でさえも、洗濯プロセスから著しいしわが生じ、アイロンがけが必要となることが多い。
【０００４】
ドライクリーニングプロセスは、洗浄用非水性溶媒に依存する。水を回避することにより、これらのプロセスは縮みやしわが生じる可能性を最小限にする。しかし、汚れの洗浄、特に水をベースにした汚れ、及びアルコールをベースにした汚れの洗浄は、これらのプロセスでは非常に制限される。典型的には、ドライクリーニング店は、このような汚れをドライクリーニングプロセスの前に手作業で除去する。これらの方法は複雑であり、見つけられる様々なしみに対処する広範な組成物や多大な労力を必要とし、処理される物品に局部的な損傷を与える結果となることが多い。
【発明の開示】
【発明が解決しようとする課題】
【０００５】
従って、業務上の洗濯において、ドライクリーニングにおいて、及び家庭において、同時に様々な汚れに対して許容可能な洗浄性を提供し、種々の布地物品に対して安全性を保っている洗浄組成物の必要性は、未だ満たされていない。
【０００６】
ポリオール類、ポリアミン類、及び／又はアルカノールアミン類から成る群から選択される水素結合置換基によって官能化されたシリコーン含有ポリマーは、親油性流体、特にデカメチルシクロペンタシロキサン（「Ｄ５」として知られている）を使用する洗濯プロセスの汚れ除去、並びにその中で使用される生成物の形成を提供する。
【課題を解決するための手段】
【０００７】
本発明は、布地物品からの汚れの改善された洗浄性を示し、同時に優れた布地ケア特性を維持する組成物を提供する。この洗浄組成物は、ポリオール類、ポリアミン類、アルカノールアミン類、及びこれらの組み合わせから成る群から選択される水素結合置換基で官能化されたシリコーン含有ポリマーを含む。任意選択的に、このシリコーン含有ポリマーは、アミン類、モノアルコール類、ポリアルキレンオキシド類、アミド類、及びこれらの組み合わせから成る群から選択される追加的な極性置換基によって官能化されてもよい。
【０００８】
このような洗浄性組成物の特徴及び利点は、次の詳細な説明及び添付の請求項を読むことにより、当業者には明らかになる。特に指定のない限り、本明細書における全ての百分率、比率、及び割合は、重量を基準とする。特に指定しない限り、温度は全て摂氏（℃）による。特に指定のない限り、全ての測定値はＳＩ単位による。関連部分において記載する全ての文献を、本明細書に引用して援用する。
【発明を実施するための最良の形態】
【０００９】
（定義）
本明細書で使用する時、「シリコーン含有ポリマー」とは、ポリジメチルシロキサン（「ＰＤＭＳ」）のようなシロキサンモノマー単位によって識別されるポリマーに関するシリコーン含有主鎖を意味しており、このポリマーは、ポリオール、ポリアミン、及び／又はアルカノールアミン置換基によって官能化することができ、任意選択的に、アミン、モノアルコール、ポリアルキレンオキシド、及び／又はアミド置換基によって官能化することができる。好適なシロキサン主鎖の構造の例は、次式：
【化１】
2005502773.tif 000002
である。式中、Ｘは、Ｈ、ヒドロキシル基、又は一価の炭化水素基であり、Ｒ１及びＲ２は独立して、Ｈ、又は一価の炭化水素基である。このような構造は、ＭＤｂＭと略記され、ここでＭ＝ＸＲ１２ＳｉＯ０．５−、Ｄ＝−Ｏ０．５Ｓｉ（Ｒ２）２Ｏ０．５−である。Ｒ１又はＲ２基の一つ又はそれ以上が非シリコーン含有有機基Ｒに関して置換されていることを示すのに、Ｄ’又はＭ’のような一つ又はそれ以上のプライム記号が使用される。
【００１０】
本発明のポリマーの非置換ポリシロキサン部分は、−ＳｉＲ２２Ｏ−単位を含んでおり、ここでＲ１及びＲ２は、Ｃ１〜Ｃ２２アルキル、アリール、アリールアルキル、フルオロアルキル、及びこれらの組み合わせの群から選択される。好ましいＲ１及びＲ２基は、メチルである。
【００１１】
これらのポリマーには、非官能化モノマー単位を含む（すなわち、全てのモノマー単位が官能化されているわけではない）官能化されたモノマー単位のコポリマー、並びにシロキサンモノマー単位及び非シロキサンモノマー単位で構成されるポリマーが挙げられる。ブロック、ランダム、スター、グラフト、及びその他の種類のコポリマーも含まれる。
【００１２】
本明細書で使用する時、「官能化された」とは、指示された置換基がシリコーン含有ポリマーと化学的に結合していることを意味する。
【００１３】
本明細書で使用する時、「官能単位」とは、シリコーン含有ポリマーを官能化するために使用される一つの置換基を意味する。本発明に有用なシリコーン含有ポリマーは、単一の官能単位だけを含有してよいが、ポリマー当たり二つ又は更に多くの官能単位を含有してもよい。
【００１４】
本明細書で使用する時、「ポリオール置換基」とは、官能単位当たり一つより多いヒドロキシル基を含有する官能単位を意味する。
【００１５】
本明細書で使用する時、「ポリアミン置換基」とは、官能単位当たり一つより多いアミノ基を含有する官能単位を意味する。本明細書で有用なアミノ基には、非置換アミノ基、並びにモノ及びジ置換アミノ基（通常は、モノ及びジ置換は、Ｃ１〜Ｃ６アルキル部分による）が挙げられる。
【００１６】
本明細書で使用する時、「アルカノールアミン置換基」とは、官能単位当たり少なくとも一つのヒドロキシル基と少なくとも一つのアミノ基とを含有する官能単位を意味する。
【００１７】
本明細書で使用する時、任意選択ではない官能単位に関する「それらの組み合わせ」とは、シリコーン含有ポリマーが、少なくとも一つのポリオール置換基及び少なくとも一つのポリアミン置換基によって官能化されているか、又は少なくとも一つのポリオール置換基及び少なくとも一つのアルカノールアミン置換基によって官能化されているか、又は少なくとも一つのポリアミン置換基及び少なくとも一つのアルカノールアミン置換基によって官能化されていることを意味する。任意選択の官能単位に関して、用語「それらの組み合わせ」とは、任意選択でない一つ又はそれ以上の官能単位に加えて、シリコーン含有ポリマーが、モノアミン類、モノアルコール類、ポリアルキレンオキシド類、及びアミド類から選択される任意選択的な単位のいずれかの組み合わせによって官能化し得ることを意味する。
【００１８】
本明細書で使用される用語「布地物品」とは、従来の洗濯プロセス又はドライクリーニングプロセスで慣例的に洗浄されるあらゆる物品を意味するものとする。このような用語は、衣服、亜麻布、服地、及び衣服付属品のような物品を含む。この用語はまた、手さげバッグ、家具カバー、防水布など、全体的に又は部分的に布で作られた他の品目も包含する。
【００１９】
本明細書で使用される用語「親油性流体」とは、以下でより詳細に記載されるように、皮脂を除去することが可能な任意の非水性流体を意味するものとする。
【００２０】
本明細書で使用される用語「洗浄性組成物」及び／又は「処理組成物」とは、洗浄される布地物品と直接接触する、あらゆる親油性流体含有組成物を意味するものとする。前記用語は、コンディショニング及びサイジングなどの洗浄以外の用途を包含すると理解されるべきである。更に、界面活性剤、漂白剤等のような任意の洗浄性補助剤を「洗浄性組成物」に添加してもよい。すなわち、シリコーン含有ポリマーに添加して、洗浄補助剤を任意選択的に親油性流体と組み合わせてもよい。これらの任意の洗浄性補助剤を、以下に更に詳細に説明する。このような洗浄補助剤は、洗浄組成物の約０．００１重量％〜約１０重量％の濃度で、本発明の洗浄組成物中に存在してよい。
【００２１】
用語「汚れ」とは、除去されることが望まれる布地物品上の望ましくない任意の物質を意味する。用語「水をベースにした」又は「親水性」とは、汚れが最初に布地物品と接触した時に水を含んでいるか、汚れが高い水溶性又は親水性を有するか、又は汚れが布地物品上で多量の水を保持することを意味する。水をベースにした汚れの例には、飲み物、多くの食物汚れ、水溶性染料、汗、尿、又は血液などの体液、草のしみ、及び泥などの戸外の汚れが挙げられるが、これらに限定されない。
【００２２】
用語「親油性流体中で水を懸濁することができる」とは、ある物質を、成分の最初の混合後少なくとも５分間静置させた時に、水が目に見えて懸濁、溶媒和又は乳化した状態を保つ形で、親油性流体と不混和性である水を懸濁、溶媒和又は乳化することができることを意味する。本発明の組成物の幾つかの実施例では、組成物はコロイドの性質であっても、及び／又は乳濁性に見えてもよい。本発明の組成物の他の実施例では、組成物は透明であってもよい。
【００２３】
用語「親油性流体に不溶性」とは、親油性流体に添加された時に、物質が、添加後５分以内に親油性流体から物理的に分離（すなわち、沈殿、凝縮、浮揚）し、それに対して「親油性流体に可溶性」である物質は、添加後５分以内に親油性流体から物理的に分離しないことを意味する。
【００２４】
用語「消費可能な洗剤組成物」とは、親油性流体と組み合わせると、その結果、本発明の洗浄性組成物が得られる、任意の組成物を意味する。
【００２５】
用語「加工助剤」とは、消費可能な洗剤組成物を親油性流体との配合性、安定性、及び／又は希釈性に関して更に適しており、本発明の洗浄性組成物を形成する任意の物質を指す。
【００２６】
本明細書で使用する時、用語「混合」とは、二つ又はそれ以上の物質（すなわち、流体、より具体的には親油性流体及び消費可能な洗剤組成物）を均一な混合物が形成されるように組み合わせることを意味する。好適な混合プロセスは、当該技術において既知である。好適な混合プロセスの非限定的な例には、攪拌混合プロセス、及び静的混合プロセスが挙げられる。
【００２７】
本発明の組成物
本発明は、布地物品からの汚れの洗浄（すなわち、汚れの除去、及び／又は低減）を改善すると同時に優れた布地ケア特性を維持する組成物を提供する。
【００２８】
（シリコーン含有ポリマー）：
アルコキシル化アミン及びポリオール官能基は、水溶性の汚れ及び水をベースにした汚れに浸透し及び／又は溶解させる能力を有する。しかし、これらの官能基は、典型的にはＤ５のような親油性流体に可溶性でない。親水性洗浄を改善するために、本発明の組成物は、これらの官能基がポリシロキサン類のような溶解度の高いポリマーに結合しているシリコーン含有ポリマーを使用する。親油性流体、特にＤ５に溶解させるには、ジアルキルシロキサン、アルキルアリールシロキサン、ジアリールシロキサン、及びフルオロアルキルシロキサン含有量（シリコーン含有量）の合計を、ポリマー全体の質量の６０％よりも多くするべきである。これは、Ｒ１が置換された非シリコーン含有有機基を除いたシロキサン主鎖の分子量を分子全体の分子量で割り、１００を乗じてパーセントで表すことによって計算される。具体的な構造の例が、表１に示される。これらの具体例では、各Ｄ’のＲ２基のうち一つだけがＲについて置換されている（すなわち、Ｄ’＝−Ｏ０．５ＳｉＲ２ＲＯ０．５−）。
【表１】
2005502773.tif 000003
【００２９】
これらのポリマーは、親油性流体中での洗浄（ドライクリーニングを含む）のための洗浄添加剤を提供し、この洗浄添加剤は、水溶性の汚れ及び水をベースにした汚れに浸透し又は強く相互作用するのに適した化学的な力を有し、その結果、溶解度が高いので、汚れを親油性流体に懸濁させることができる。
【００３０】
次の６つの構造は、本発明の組成物において有用な好ましいシリコーン含有ポリマーの例である：
【化２】
2005502773.tif 000004
【化３】
2005502773.tif 000005
【化４】
2005502773.tif 000006
【化５】
2005502773.tif 000007
【化６】
2005502773.tif 000008
【化７】
2005502773.tif 000009
【００３１】
式中、ｍは１〜１００であり、ｎは２〜２００であり、更にｍはｎの半分未満である。好ましい分子量は、約１，０００〜約２０，０００の範囲内である。
【００３２】
都合のよいことに、これらの物質は、市販のポリシロキサン類及びアミノシリコーン類から製造することができる。１００％シロキサンの主鎖が好ましいが、他の有機モノマー単位をシリコーン含有ポリマーに含んでもよい。ポリアルコール、ポリアミン、及びアルカノールアミン付属枝は、ペンダント又は末端（すなわち、ＡＢＡ構造）であってよい。ペンダントエチレンオキシ（「ＥＯ」）、プロピレンオキシ（proplyeneoxy）（「ＰＯ」）、及びエチレンオキシ／プロピレンオキシ（「ＥＯ／ＰＯ」）置換も、任意選択でない少なくとも一つの置換基との組み合わせにおいて想定される。
【００３３】
シリコーン含有ポリマーは、洗浄組成物の約０．００１重量％〜約２重量％、より好ましくは約０．０１重量％〜約１．０重量％、更に好ましくは約０．０２重量％〜約０．５重量％の濃度で、本発明の洗浄組成物中に存在する。
【００３４】
シリコーン含有ポリマーは、消費可能な洗剤組成物の約０．０１重量％〜約１０重量％、より好ましくは約０．０５重量％〜約５重量％、更に好ましくは約０．１重量％〜約２．０重量％の濃度で、本発明の消費可能な洗剤組成物中に存在する。
【００３５】
（合成例）
ポリ（ジメチルシロキサン−共−メチルヒドロシロキサン）、トリメチルシリル末端ポリマー及び３−アリルオキシ−１，２−プロパンジオールのヒドロシリル化付加物
電磁攪拌棒とアルゴン取入口を備えた水冷コンデンサとを具備する、２５０ｍｌの１本首丸底フラスコに、１５グラムのポリ（ジメチルシロキサン−共−メチルヒドロシロキサン）、トリメチルシリル末端ポリマー（４％メチルヒドロシロキサン含有、アルドリッチ（Aldrich）製品コード：４８２３７−４）、１．０６グラム（０．００８モル）の３−アリルオキシ−１，２−プロパンジオール（アルドリッチ製品コード：２５１７３−９）、０．０１グラムのＨ２ＰｔＣｌ６（アルドリッチ製品コード：２０６０８−３）、０．０５グラムの２，２，６，６−テトラメチル−４−ピペリジノール（アルドリッチ製品コード：１１５７４−６）、及び５０ｍｌのトルエン（「ベーカー解析済み（Baker Analyzed）」Ａ．Ｃ．Ｓ．試薬）を添加する。アルゴン雰囲気下で混合しながら、反応混合物を２．５時間還流して加熱し、次いで室温（２３℃）まで冷却する。１５グラムのアンバーリスト（Amberlyst）Ａ−２１を加え、混合物を８０〜９０℃で１５時間加熱し、室温まで冷却し、濾過して、少量の不溶性相（アンバーリストからの水分）を含む透明な淡黄色溶液を回収する。水の液滴からトルエン層をデカント除去し、濃縮して、粘稠な暗橙色液体を回収する。プロトンＮＭＲ（ＣＤＣｌ３）により、−ＳｉＣＨ２ＣＨ２ＣＨ２ＯＣＨ２ＣＨ（ＯＨ）ＣＨ２ＯＨを表す０．５ｐｐｍにおける共鳴、−ＳｉＣＨ２ＣＨ２ＣＨ２ＯＣＨ２ＣＨ（ＯＨ）ＣＨ２ＯＨを表す１．６ｐｐｍにおける共鳴、及び−ＳｉＣＨ２ＣＨ２ＣＨ２ＯＣＨ２ＣＨ（ＯＨ）ＣＨ２ＯＨを表す３．４３ｐｐｍにおける共鳴、並びに、ＣＨ２＝ＣＨＣＨ２ＯＣＨ２ＣＨ（ＯＨ）ＣＨ２ＯＨを表す５．２１ｐｐｍ及びＣＨ２＝ＣＨＣＨ２ＯＣＨ２ＣＨ（ＯＨ）ＣＨ２ＯＨを表す５．９５ｐｐｍにおける共鳴の消失が示される。これは、メチルヒドロシロキサン単位が３−アリルオキシ−１，２−プロパンジオールと反応して望ましい生成物が形成されたことを示している。
【００３６】
グリシドール誘導体化アミノプロピルＰＤＭＳの調製
電磁攪拌棒とアルゴン取入口を備えた水冷コンデンサとを具備する、２５０ｍｌの１本首丸底フラスコに、１５グラムのアミノプロピルメチルシロキサン−ジメチルシロキサンコポリマー（ＭＷ＝７０００〜８０００、４〜５モル％アミノプロピルメチルシロキサン含有、ゲレスト社（Gelest, Inc.）より、製品コード：ＡＭＳ−１５２）、１．３３グラム（０．０１８モル）のグリシドール（アルドリッチ（Aldrich）、製品コード：Ｇ５８０−９）、及び５０ｍｌの２−プロパノール（「ベーカー解析済み（Baker Analyzed）」Ａ．Ｃ．Ｓ．試薬）を加える。アルゴン雰囲気下で混合しながら、溶液を１５時間還流し、次いでロータリーエバポレーターを用いて２−プロパノールを蒸発させることによって濃縮して、無色透明の粘稠な液体を得る。１３ＣＮＭＲ（ＣＤＣｌ３）により、−ＳｉＣＨ２ＣＨ２ＣＨ２Ｎ（ＣＨ２ＣＨ（ＯＨ）ＣＨ２ＯＨ）２について５６．６ｐｐｍ及び５８．０ｐｐｍにおける共鳴、並びに、−ＳｉＣＨ２ＣＨ２ＣＨ２ＮＨ２について４４．２ｐｐｍ、及び
−ＳｉＣＨ２ＣＨ２ＣＨ２ＮＨ（ＣＨ２ＣＨ（ＯＨ）ＣＨ２ＯＨ）について５１．２ｐｐｍ及び５１．９ｐｐｍにおける共鳴の欠落が示される。これは、グリシドール単位によるアミノプロピル単位の完全誘導体化を示している。
【００３７】
（親油性流体）
本明細書の親油性流体は、布地／皮革物品処理機器の運転条件下、換言すれば、本発明による布地物品の処理中に、液相が存在する。一般に、このような親油性流体は、常温常圧においてほぼ液体であることができ、容易に溶解する固体、例えば約０℃〜約６０℃の範囲の温度で流体になることができ、又は例えば２５℃、１気圧の周囲温度及び圧力において液相及び気相の混合物を含むことができる。従って、親油性流体は二酸化炭素のような圧縮性気体ではない。
【００３８】
本明細書の親油性流体は、既知の従来のドライクリーニング流体の性質と等しい、又は好ましくはそれを上回る不燃性を有するか、又は比較的高い引火点及び／若しくは低ＶＯＣ（揮発性有機化合物）性を有することが好ましく、これらの用語はドライクリーニング産業で使用されるような従来の意味を有する。
【００３９】
更に、本明細書の好適な親油性流体は、流動しやすく、粘性ではない。
【００４０】
一般に、本明細書の親油性流体は、本明細書で後述する試験の中で定義されるように、皮脂又は身体の汚れを少なくとも部分的に溶解できる流体であることが必要である。親油性流体の混合物もまた適しており、下記の親油性流体試験の要件を満たすことを条件として、親油性流体は任意の分率のドライクリーニング溶媒、特にフッ素化溶媒、又は過フッ素化アミンを含む、より新しい種類のものを含むことができる。パーフルオロトリブチルアミンのような幾つかの過フッ化アミン類は、親油性流体として使用するには適さないが、親油性流体含有組成物中に存在可能な多くの潜在的な補助剤の一つとして存在してよい。
【００４１】
他の適した親油性流体には、ジオール溶媒系、例えば、Ｃ６−又はＣ８−などの高級ジオール、又は更に高級のジオール類、環状及び非環状型の両方を含む有機シリコーン溶媒類など、及びこれらの混合物が挙げられるが、これらに限定されない。
【００４２】
本発明の組成物の主構成成分として組み込むのに適した非水性親油性流体の好ましい群には、低揮発性非フッ素化有機物、シリコーン、特にアミノ官能性シリコーン以外のもの、及びこれらの混合物が挙げられる。低揮発性非フッ素化有機物には、例えばオレアン（OLEAN）（登録商標）及びその他のポリオールエステル類、又は特定の比較的非揮発性の生分解性中鎖分枝状石油留分が挙げられる。
【００４３】
本発明の組成物の主構成成分として組み込むのに適した非水性親油性流体の別の好ましい群には、グリコールエーテル、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。組成物の主構成成分として、例えば、５０％を超過して用いられる好適なシリコーンには、「Ｄ５」と呼ばれることもあるシクロペンタシロキサン、及び／又はほぼ同様の揮発性を有し、任意選択的に他の適合性のあるシリコーンにより補完される直鎖類似体が挙げられる。好適なシリコーン類は、文献で周知であり、例えば、カーク・オスマー（Kirk Othmer）の工業化学百科事典を参照されたい。また、ゼネラル・エレクトリック社（General Electric）、東芝シリコーン（株）、バイエル社（Bayer）、及びダウ・コーニング社（Dow Corning）を含む多数の業者から入手可能である。他の好適な親油性流体は、プロクター・アンド・ギャンブル社（Procter & Gamble）、又はダウ・ケミカル社（Dow Chemical）、及び他の業者から入手可能である。
【００４４】
（親油性流体の適格性及び親油性流体試験（ＬＦ試験））
ドライクリーニング流体に対する既知の要件（例えば、引火点など）を満たすことができると共に、下記の試験法に示されるように少なくとも部分的に皮脂を溶解することができるいかなる非水性流体も、本明細書の親油性流体として適している。一般指針としてパーフルオロブチルアミン（フロリナート（Fluorinert）ＦＣ−４３（登録商標））はそれ自体（補助剤と共に、又は補助剤無しで）が標準物質であり、定義上は本明細書で使用される親油性流体として適していない（本質的に非溶媒である）が、一方でシクロペンタシロキサンは好適な皮脂溶解特性を有し、皮脂を溶解させる。
【００４５】
以下は親油性流体として使用する他の物質、例えば、他の低粘度、自由流動性シリコーンの調査及び適格性認定方法である。この方法は、皮脂に関する汚れの例として、市販品で入手可能なクリスコ（Crisco）（登録商標）カノーラ油、オレイン酸（純度９５％、シグマ・アルドリッチ社（Sigma Aldrich Co.）から入手可能）、及びスクアレン（純度９９％、Ｊ．Ｔ．ベーカー（J. T. Baker）から入手可能）を使用する。試験物質は実質的に無水であり、いかなる添加された補助剤も評価中の他の材料も含んでいてはならない。
【００４６】
３本のバイアル瓶を用意し、各バイアル瓶に１種類の親油性汚れを入れる。第一のバイアル瓶にカノーラ油１．０ｇを入れ、第二のバイアル瓶にオレイン酸（９５％）１．０ｇを入れ、最後の第三のバイアル瓶にスクアレン（９９．９％）１．０ｇを入れる。各バイアル瓶に、親油性を試験する流体を１ｇ入れる。常温常圧で標準的な攪拌混合機において、最大設定で２０秒間、試験される親油性汚れ及び流体を含有する各バイアル瓶を個別に混合する。バイアル瓶を作業台に載置し、常温常圧で１５分間安定させる。静止した時に、親油性汚れの入ったいずれかのバイアル瓶に透明な単一相が形成された場合は、その非水性流体は、本発明による「親油性流体」として使用するのに適しているとみなされる。しかし、３本のバイアル瓶全部に二つ以上の分離相が形成されている場合には、油相中に溶解される非水性流体の量を、非水性流体が適切なものかどうか判断する前に、更に測定する必要がある。
【００４７】
このような場合は、注射器により、各バイアル瓶の各層から２００μｌのサンプルを抽出して抜き取る。各三つのモデル、汚れ及び試験される流体の較正サンプルの保持時間を決定した後、注射器で抜き取った層のサンプルをＧＣオートサンプラーバイアル瓶に入れ、従来のＧＣ分析にかける。オレイン酸層、カノーラ油層、又はスクアラン層から成る層のいずれか一つに、試験流体が１％を超えて、好ましくはより多く、存在することがＧＣで判明した場合には、その試験流体も親油性流体として使用するのに適切であるとみなされる。必要であれば、この方法はヘプタコサフルオロトリブチルアミン、つまりフルオリナート（Fluorinert）ＦＣ−４３（不合格）及びシクロペンタシロキサン（合格）を使用して更に較正することができる。好適なＧＣは、スプリット／スプリットレス注入器及びＦＩＤを装備したヒューレットパッカード（Hewlett Packard）のガスクロマトグラフＨＰ５８９０シリーズＩＩである。親油性流体存在量を決定するのに使用する好適なカラムは、Ｊ＆Ｗサイエンティフィック社（J&W Scientific）の、３０メートル、内径０．２５ｍｍ、厚さ０．１ｕｍのフィルム、カタログ番号１２２１１３１のキャピラリーカラムＤＢ−１ＨＴである。ＧＣを次の条件下で適切に操作する：
【表２】
2005502773.tif 000010
【００４８】
本明細書で使用するのに適した好ましい親油性流体を、優れた衣類ケア特性を有するという点から、使用のために更に格付けすることができる。衣類ケア特性試験は当該技術分野において既知であり、継ぎ目などや、各種ボタンに使用される布地、糸、及びゴムひもを含む様々な衣類又は布地物品構成要素を使用して、特定される流体を試験することを包含する。本明細書で使用するのに好ましい親油性流体は、優れた衣類ケア特性を有する、例えば、良好な収縮及び／又は布地ひだ寄せ特性を有し、またプラスチックボタンに目立った損傷を与えない。例えばエチルラクテートのような、皮脂の除去において親油性流体として使用するのが適切である特定の物質は、ボタンを溶解する傾向があるために極めて好ましくなく、そのような物質が本発明の組成物中に使用される場合、混合物全体が実質的にボタンに損傷を与えないように、水及び／又は他の物質と配合される。他の親油性流体、例えば、Ｄ５は、衣類ケアの要件を十分に満たす。幾つかの好適な親油性流体は、付与された米国特許第５，８６５，８５２号；５，９４２，００７号；第６，０４２，６１７号；第６，０４２，６１８号；第６，０５６，７８９号；第６，０５９，８４５号；及び第６，０６３，１３５号の中に見出されるが、これらを本明細書に引用して援用する。
【００４９】
親油性流体には、直鎖及び環状ポリシロキサン、炭化水素、及び塩素化炭化水素を挙げることができるが、本明細書で使用される親油性流体の定義によって明確に包含されないＰＥＲＣ及びＤＦ２０００は例外とする。より好ましいのは、線状及び環状ポリシロキサン、及びグリコールエーテル、酢酸エステル、乳酸エステル類の炭化水素である。好ましい親油性流体には、７６０ｍｍＨｇにおいて約２５０℃未満の沸点を有する環状シロキサンが挙げられる。本発明で使用する特に好ましい環状シロキサンは、オクタメチルシクロテトラシロキサン、デカメチルシクロペンタシロキサン、及びドデカメチルシクロヘキサシロキサンである。好ましくは、環状シロキサンは、デカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００５０】
但し、有用な環状シロキサン混合物が、好ましい環状シロキサン類に加えて、オクタメチルシクロテトラシロキサン及びヘキサメチルシクロトリシロキサン、又はテトラデカメチルシクロヘプタシロキサンのようなより高級な環状物を含む他の環状シロキサン類も微量含有する場合があることを理解すべきである。一般的に、環状シロキサン混合物に有用なこれらの他の環状シロキサン量は、混合物の全体の約１０重量％未満である。環状シロキサン混合物の工業規格では、このような混合物は混合物の約１重量％未満のオクタメチルシクロテトラシロキサンを含む。
【００５１】
従って、本発明の親油性流体は、親油性流体の好ましくは約５０重量％を超える、より好ましくは約７５重量％を超え、更により好ましくは少なくとも約９０重量％、最も好ましくは少なくとも約９５重量％のデカメチルシクロペンタシロキサンを含む。あるいは、親油性流体は、混合物の約５０重量％を超える、好ましくは約７５重量％を超える、より好ましくは少なくとも約９０重量％、最も好ましくは少なくとも９５重量％〜約１００重量％のデカメチルシクロペンタシロキサン、及び混合物の約１０重量％未満、好ましくは約５重量％未満、より好ましくは約２重量％未満、更により好ましくは約１重量％未満、最も好ましくは約０．５重量％未満か〜約０重量％のオクタメチルシクロテトラシロキサン及び／又はドデカメチルシクロヘキサシロキサンを有する環状シロキサンの混合物であるシロキサンを含む。
【００５２】
親油性流体の濃度は、本発明の処理組成物中に存在する場合、好ましくは処理組成物の約７０重量％〜約９９．９９重量％、より好ましくは約９０重量％〜約９９．９重量％、更により好ましくは約９５重量％〜約９９．８重量％である。
【００５３】
親油性流体の濃度は、本発明の消費可能な布地物品処理／洗浄性組成物中に存在する場合、好ましくは消費可能な布地物品処理／洗浄性組成物の約０．１重量％〜約９０重量％、より好ましくは約０．５重量％〜約７５重量％、更により好ましくは約１重量％〜約５０重量％である。
【００５４】
（界面活性剤成分）
本発明による洗浄性組成物及び消費可能な洗剤組成物において任意の、しかし極めて好ましい成分は、界面活性剤である。本発明に有用な界面活性剤成分は、親油性流体中に水を懸濁させることができ、及び親油性流体の汚れ除去効果を向上させることができる物質である。この物質は、親油性流体中に可溶性であってもよい。
【００５５】
一つの分類の物質には、シロキサン系界面活性剤（シロキサンをベースにした物質）を含むことができる。この用途のシロキサン系界面活性剤は、他の用途向けのシロキサンポリマーであってよい。シロキサン系界面活性剤の重量平均分子量は、典型的には、５００〜２０，０００である。ポリ（ジメチルシロキサン）に由来するこのような物質は、当該技術分野において周知である。本発明では、このようなシロキサン系界面活性剤全てが好適であるとは限らないが、その理由として、これらが親油性流体自体によって提供される洗浄のレベルと比較して、改善された汚れの洗浄を提供しないためである。
【００５６】
好適なシロキサン系界面活性剤は、次式：
ＭａＤｂＤ’ｃＤ”ｄＭ’２〜ａ
を有するポリエーテルシロキサンを含む。式中、ａは０〜２であり；ｂは０〜１０００であり；ｃは０〜５０であり；ｄは０〜５０であり、但しａ＋ｃ＋ｄは少なくとも１である；
ＭはＲ１３〜ｅＸｅＳｉＯ１／２であり、式中、Ｒ１は独立して、Ｈ、又は一価の炭化水素基であり、Ｘはヒドロキシル基であり、ｅは０又は１である；
Ｍ’はＲ２３ＳｉＯ１／２であり、式中、Ｒ２は独立して、Ｈ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し少なくとも一つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８である；
ＤはＲ４２ＳｉＯ２／２であり、式中、Ｒ４は独立して、Ｈ又は一価の炭化水素基であり；
Ｄ’はＲ５２ＳｉＯ２／２であり、式中、Ｒ５は独立してＲ２であり、但し少なくとも一つのＲ５が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立して、Ｈ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
Ｄ”はＲ６２ＳｉＯ２／２であり、式中、Ｒ６は独立して、Ｈ、一価の炭化水素基又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｈ４はＣ１〜１０アルキル又はアルケニルで非置換又は置換されており；Ａ及びＡ’はそれぞれ独立して、エステル、ケト、エーテル、チオ、アミド、アミノ、Ｃ１〜４フルオロアルキル、Ｃ１〜４フルオロアルケニル、分枝又は直鎖ポリアルキレンオキシド、ホスフェート、スルホニル、サルフェート、アンモニウム、及びこれらの混合物を表す連結部分であって；Ｌ及びＬ’はそれぞれ独立して、非置換又は置換の、Ｃ１〜３０直鎖又は分枝アルキル又はアルケニル又はアリールであり；Ｚは、水素、カルボン酸、ヒドロキシ、ホスフェート、ホスフェートエステル、スルホニル、スルホネート、サルフェート、分枝又は直鎖ポリアルキレンオキシド、ニトリル、グリセリル、Ｃ１〜３０アルキル又はアルケニルで非置換又は置換されているアリール、Ｃ１〜１０アルキル又はアルケニル又はアンモニウムで非置換又は置換されている炭水化物であり；Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートなどの陰イオン又は陽イオンである。
【００５７】
前述のシロキサン系界面活性剤の種類の例は、ＥＰ−１，０４３，４４３Ａ１、ＥＰ−１，０４１，１８９、及び国際公開第０１／３４，７０６号（全てＧＥシリコーンズ（GE Silicones）に発行）、及び米国特許第５，６７６，７０５号、米国特許第５，６８３，９７７号、米国特許第５，６８３，４７３号、及びＥＰ−１，０９２，８０３Ａ１（全てリーバー・ブラザーズ（Lever Brothers）に発行）に見出すことができる。
【００５８】
好適なシロキサン系界面活性剤の市販品の非限定例は、ＴＳＦ４４４６（ゼネラル・エレクトリック・シリコーンズ （General Electric Silicones）より）、ＸＳ６９−Ｂ５４７６（ゼネラル・エレクトリック・シリコーンズより）、ジェナミン（Jenamine）ＨＳＸ（デルコン（DelCon）より）及びＹ１２１４７（ＯＳｉスペシャルティーズ （OSi Specialties）より）である。
【００５９】
界面活性剤構成成分に適した第２の好ましい分類の物質は、有機物の性質である。好ましい物質は、炭素原子が約６〜約２０の炭素鎖を有する、有機スルホサクシネート界面活性剤である。それぞれ、炭素原子約６〜約２０の炭素鎖を有するジアルキル鎖を含有する有機スルホサクシネートが最も好ましい。アリール又はアルキルアリール、置換又は非置換、分枝又は直鎖、飽和又は不飽和基を含有する鎖も好ましい。
【００６０】
好適なオルガノスルホスクシネート界面活性剤の市販品の非限定例は、エアゾール（Aerosol）ＯＴ及びエアゾール（Aerosol）ＴＲ−７０（サイテック（Cytec）より）の商品名で入手可能である。界面活性剤の別の好ましい種類は、非イオン性界面活性剤、特に低いＨＬＢ値を有するものである。好ましい非イオン性界面活性剤は約１０未満、より好ましくは約７．５未満、最も好ましくは約５未満のＨＬＢ値を有する。好ましい非イオン性界面活性剤はまた、界面活性剤の鎖の中に約６〜２０の炭素、及び界面活性剤の親水性部分中に約１〜１５のエチレンオキシド（ＥＯ）及び／又はプロピレンオキシド（ＰＯ）単位を有し（すなわち、Ｃ６〜２０  ＥＯ／ＰＯ  １〜１５）、好ましくはＣ７〜１１  ＥＯ／ＰＯ  １〜５（例えばＣ７〜１１  ＥＯ  ２．５）の範囲内のものから選択される非イオン性界面活性剤である。
【００６１】
界面活性剤構成成分は、本発明の布地物品処理組成物中に存在する場合、好ましくは布地物品処理組成物の約０．０１重量％〜約１０重量％、より好ましくは約０．０２重量％〜約５重量％、更により好ましくは約０．０５重量％〜約２重量％を含む。
【００６２】
界面活性剤構成成分は、本発明の消費可能な洗剤組成物中に存在する場合、好ましくは消費可能な洗剤組成物の約１重量％〜約９９重量％、より好ましくは約２重量％〜約７５重量％、更により好ましくは約５重量％〜約６０重量％を含む。
【００６３】
（非シリコーン添加剤）
好ましくは極性の高い及び／又は水素結合する先端基を含む非シリコーン添加剤（すなわち、Ｓｉ原子を含有しない物質）は、存在する場合、本発明の組成物による汚れ除去を更に向上させる。極性の高い及び／又は水素結合する先端基を含有する物質の例には、アルコール、陽イオン性界面活性剤などの陽イオン性物質、四級界面活性剤、塩化アンモニウム（塩化アンモニウムの非限定的な例は、アクゾ・ノーベル（Akzo Nobel）から市販のアークワッド（Arquad）物質である）などの四級アンモニウム塩及び陽イオン性布地柔軟化活性物質、非イオン性界面活性剤（すなわち、アルコールエトキシレート、ポリヒドロキシ脂肪酸アミド）などの非イオン性物質、ジェミニ界面活性剤、陰イオン性界面活性剤、双性イオン界面活性剤、カルボン酸、サルフェート、スルホネート、ホスフェート、ホスホネート、並びに窒素含有物質が挙げられるが、これらに限定されない。一実施形態では、非シリコーン添加剤は、一級、二級、及び三級アミン、ジアミン、トリアミン、エトキシル化アミン、アミンオキシド、アミド、及びベタイン、及びこれらの混合物から成る群から選択される窒素含有物質を含み、ベタインの非限定的な例は、シェア・ケミカルズ（Scher Chemicals）から市販のシェアコタイン（Schercotaine）物質である。
【００６４】
別の実施形態では、アルキル鎖は、融点の低下を助ける可能性のある分岐を含有する。
【００６５】
更に別の実施形態では、約６〜約２２の炭素原子を含む一級アルキルアミンが使用される。特に好ましい一級アルキルアミンは、オレイルアミン（アクゾ（Akzo）からアーミン（Armeen）ＯＬＤの商品名で市販）、ドデシルアミン（アクゾ（Akzo）からアーミン（Armeen）１２Ｄの商品名で市販）、分枝Ｃ１６〜Ｃ２２アルキルアミン（ローム・アンド・ハース（Rohm & Haas）からプリミーニ（Primene）ＪＭ−Ｔの商品名で市販）及びこれらの混合物である。
【００６６】
好適な陽イオン性物質には、四級界面活性剤を含んでもよく、これは四級アンモニウム化合物であってよい。市販の試剤には、ゴールドシュミット（Goldschmidt）製のバリソフト（Varisoft）物質が挙げられる。
【００６７】
追加の好適な陽イオン性物質には、慣用的な布地柔軟化活性物質を挙げてもよい。
【００６８】
好適な陽イオン性界面活性剤には、次式：
Ｒ’Ｒ”Ｎ＋（ＣＨ３）２Ｘ−
を有するジアルキルジメチルアンモニウム塩が挙げられるが、これに限定されず、式中、各Ｒ’及びＲ”は、１２〜３０Ｃ原子、又はタロー、ココヤシ油、若しくは大豆に由来するものから成る群より独立して選択され、Ｘ＝Ｃｌ又はＢｒである。非限定例には：ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミド（ＤＴＡＢ）が挙げられる。市販の例として、アドゲン（ＡＤＯＧＥＮ）、アークワッド（ＡＲＱＵＡＤ）、トマー（ＴＯＭＡＨ）、バリクワット（ＶＡＲＩＱＵＡＴ）が挙げられるが、これらに限定されない。
【００６９】
一実施形態では、陽イオン性界面活性剤は、次式：
Ｒ１Ｒ２Ｒ３Ｒ４Ｎ＋Ｘ−
を有する本発明の組成物に有用な水溶性四級アンモニウム化合物を含み、式中、Ｒ１は、Ｃ８〜Ｃ１６アルキルであり、Ｒ２、Ｒ３及びＲ４のそれぞれは独立して、Ｃ１〜Ｃ４アルキル、Ｃ１〜Ｃ４ヒドロキシアルキル、ベンジル、及び−（Ｃ２Ｈ４０）ｘＨであり、ここでｘの値は２〜５であり、Ｘは陰イオンである。ベンジルは、Ｒ２、Ｒ３又はＲ４の多くても一つであるべきである。
【００７０】
典型的な陽イオン性布地柔軟化化合物には、水不溶性四級アンモニウム布地柔軟化活性物質が挙げられ、最も一般に使用されるものには、ジ（長鎖アルキル）ジメチルアンモニウム（Ｃ１〜Ｃ４アルキル）サルフェート又はクロリド、好ましくはメチルサルフェートであり、化合物には次のものが挙げられる：
１）ジ（タローアルキル）ジメチルアンモニウムメチルサルフェート（ＤＴＤＭＡＭＳ）；
２）ジ（硬化タローアルキル）ジメチルアンモニウムメチルサルフェート；
３）ジ（硬化タローアルキル）ジメチルアンモニウムクロリド（ＤＴＤＭＡＣ）；
４）ジステアリルジメチルアンモニウムメチルサルフェート；
５）ジオレイルジメチルアンモニウムメチルサルフェート；
６）ジパルミチルヒドロキシエチルメチルアンモニウムメチルサルフェート；
７）ステアリルベンジルジメチルアンモニウムメチルサルフェート；
８）タローアルキルトリメチルアンモニウムメチルサルフェート；
９）（硬化タローアルキル）トリメチルアンモニウムメチルサルフェート；
１０）（Ｃ１２〜１４アルキル）ヒドロキシエチルジメチルアンモニウムメチルサルフェート；
１１）（Ｃ１２〜１８アルキル）ジ（ヒドロキシエチル）メチルアンモニウムメチルサルフェート；
１２）ジ（ステアロイルオキシエチル）ジメチルアンモニウムクロリド；
１３）ジ（タローオイルオキシエチル（tallowoyloxyethyl））ジメチルアンモニウムメチルサルフェート；
１４）ジタローアルキルイミダゾリニウムメチルサルフェート；
１５）１−（２−タローイルアミドエチル（tallowylamidoethyl））−２−タローイルイミダゾリニウム（tallowylimidazolinium）メチルサルフェート；及び
１６）これらの混合物。
【００７１】
好適な非イオン性界面活性剤には：
ａ）ノニルフェノール及びミリスチルアルコールのポリエチレンオキシド縮合物であり、米国特許第４，６８５，９３０号（カスプルザーク（Kasprzak））におけるものなど、及び
ｂ）脂肪族アルコールエトキシレート、Ｒ−（ＯＣＨ２ＣＨ２）ａＯＨ、ａ＝１〜１００、典型的には１２〜４０、Ｒ＝炭化水素残基８〜２０Ｃ原子、典型的には直鎖アルキル、が挙げられるが、これらに限定されない。例として、４又は２３のオキシエチレン基を有するポリオキシエチレンラウリルエーテル；２、１０、又は２０のオキシエチレン基を有するポリオキシエチレンセチルエーテル；２、１０、２０、２１、又は１００のオキシエチレン基を有するポリオキシエチレンステアリルエーテル；２、又は１０のオキシエチレン基を有するポリオキシエチレン（２），（１０）オレイルエーテルがある。市販されている例には、アルフォニック（ALFONIC）、ブリジ（BRIJ）、ゲナポール（GENAPOL）、ネオドール（NEODOL）、サーフォニック（SURFONIC）、トリコール（TRYCOL）が挙げられるが、これらに限定されない。
エトキシル化界面活性剤などのエトキシル化物質の非限定的な例には、次の一般式：
Ｒ８−Ｚ−（ＣＨ２ＣＨ２Ｏ）ｓＢ
を有する化合物が挙げられ、式中、Ｒ８は、約６〜約２０の炭素原子、好ましくは約８〜約１８、より好ましくは約１０〜約１５の炭素原子を有する一級、二級及び分枝鎖アルキルヒドロカルビル基、一級、二級及び分枝鎖アルケニルヒドロカルビル基、並びに／又は一級、二級及び分枝鎖アルキル−及びアルケニル−置換フェノールヒドロカルビル基から成る群から選択されるアルキル基又はアルキルアリール基であり、ｓは約２〜約４５、好ましくは約２〜約２０、より好ましくは約２〜約１５の整数であり；Ｂは、水素、カルボキシレート基、又はサルフェート基であり；連結基Ｚは、−Ｏ−、−Ｃ（Ｏ）Ｏ−、−Ｃ（Ｏ）Ｎ（Ｒ）−、又は−Ｃ（Ｏ）Ｎ（Ｒ）−、及びこれらの混合物であり、ここでＲが存在する場合は、Ｒ８又は水素である。
【００７２】
本明細書の非イオン系界面活性剤は、５〜２０、好ましくは６〜１５のＨＬＢ（親水性−親油性バランス）を特徴とする。
【００７３】
好ましいエトキシル化界面活性剤の非限定例は：
Ｒ８がＣ８〜Ｃ１８アルキル及び／又はアルケニル基、より好ましくはＣ１０〜Ｃ１４アルキル及び／又はアルケニル基であり、ｓは約２〜約８、好ましくは約２〜約６である直鎖一級アルコールエトキシレート；
Ｒ８がＣ８〜Ｃ１８アルキル及び／又はアルケニル、例えば、３−ヘキサデシル、２−オクタデシル、４−エイコサニル、及び５−エイコサニルであり、ｓは約２〜約１０である直鎖二級アルコールエトキシレート；
アルキルフェノールが一級、二級又は分枝鎖の配置において３〜２０の炭素原子、好ましくは６〜１２の炭素原子を含有するアルキル又はアルケニル基を有し、ｓが約２〜約１２、好ましくは約２〜約８であるアルキルフェノールエトキシレート；
例えば、周知の「オキソ」法又はその変更から利用可能である分枝鎖一級及び二級アルコール（又はゲルベアルコール）がエトキシル化されている分枝鎖アルコールエトキシレートである。
【００７４】
特に好ましいのは、アルキルエトキシレート界面活性剤であって、各Ｒ８がＣ８〜Ｃ１６の直鎖及び／又は分枝鎖のアルキルであり、エチレンオキシ基の数ｓが約２〜約６、好ましくは約２〜約４であるもの、より好ましくはＲ８がＣ８〜Ｃ１５アルキルであり、ｓが約２．２５〜約３．５であるものである。これらの非イオン系界面活性剤は、ＨＬＢが約６〜約１１、好ましくは約６．５〜約９．５、及びより好ましくは約７〜約９であることを特徴とする。市販の好ましい界面活性剤の非限定的な例は、ネオドール（Neodol）９１−２．５（Ｃ９〜Ｃ１０、ｓ＝２．７、ＨＬＢ＝８．５）、ネオドール（Neodol）２３−３（Ｃ１２〜Ｃ１３、ｓ＝２．９、ＨＬＢ＝７．９）、及びネオドール（Neodol）２５−３（Ｃ１２〜Ｃ１５、ｓ＝２．８、ＨＬＢ＝７．５）である。
【００７５】
別の非限定的な例には、エトキシル化（ＥＯ５〜１００）ソルビタンの脂肪酸（Ｃ１２〜１８）エステルから成る群から選択される非イオン性界面活性剤などが挙げられる。より好ましくは、前記界面活性剤は、ソルビトール及び無水ソルビトールのラウレートエステルの混合物、ソルビトール及び無水ソルビトールのステアレートエステルの混合物、及びソルビトール及び無水ソルビトールのオレエートエステルの混合物から成る群から選択される。更により好ましくは、前記界面活性剤は、ソルビトール及び無水ソルビトールのラウレートエステルの混合物であって、主にモノエステルからなり、約２０モルのエチレンオキシドと縮合されたポリソルベート２０；ソルビトール及び無水ソルビトールのステアレートエステルの混合物であって、主にモノエステルからなり、約２０モルのエチレンオキシドと縮合されたポリソルベート６０；ソルビトール及び無水ソルビトールのオレエートエステルの混合物であって、主にモノエステルからなり、約２０モルのエチレンオキシドと縮合されたポリソルベート８０；及びこれらの混合物から成る群から選択される。最も好ましくは、前記界面活性剤はポリソルベート６０である。
【００７６】
エトキシル化界面活性剤の他の例には、Ｒ８が約１２〜約１６の炭素原子を有し、ｓが約５〜約１３であるエーテルカルボキシレートとしても知られるカルボキシル化アルコールエトキシレート；ＰＥＧ−５ココモニウムメトサルフェート、ＰＥＧ−１５ココモニウムクロリド、ＰＥＧ−１５オレアンモニウムクロリド及びビス（ポリエトキシエタノール）タローアンモニウムクロリドのようなエトキシル化四級アンモニウム界面活性剤が挙げられる。
【００７７】
他の好適な非イオン性エトキシル化界面活性剤は、エチレンオキシドと疎水性のアルキルアミンとの縮合に由来するエトキシル化アルキルアミンであり、Ｒ８は約８〜約２２の炭素原子を有し、ｓは約３〜約３０である。
【００７８】
また、本明細書で使用するのに好適な非イオン性エトキシル化界面活性剤は、米国特許第４，５６５，６４７号（レナド（Llenado）、１９８６年１月２１日発行）に開示されており、約８〜約３０の炭素原子、好ましくは約１０〜約１６の炭素原子を含有する疎水性基、及び多糖類、例えば、ポリグリコシド、約１．３〜約１０、好ましくは約１．３〜約３、最も好ましくは約１．３〜約２．７の糖単位を含有する親水性基を有するアルキル多糖類である。炭素原子数５又は６の還元性のいかなる糖、例えばグルコース、ガラクトースも使用でき、ガラクトシル部分はグルコシル部分で置換されていてもよい。糖間結合は、例えば、付加させる糖単位の一つの位置と、元の糖単位の２−、３−、４−、及び／又は６位との間で形成させることができる。好ましいアルキルポリグリコシドは次式：
Ｒ２Ｏ（ＣｎＨ２ｎＯ）ｔ（グリコシル）ｘ
を有し、式中、Ｒ２は、アルキル、アルキルフェニル、ヒドロキシアルキル、ヒドロキシアルキルフェニル、及びこれらの混合物から成る群から選択され、その際アルキル基は１０〜１８、好ましくは１２〜１４の炭素原子を含有し；ｎは２又は３、好ましくは約１．３〜約３、最も好ましくは約１．３〜約２．７である。グリコシルは好ましくはグルコースに由来する。
【００７９】
一実施形態では、非イオン性界面活性剤は、次式：
Ｒ２−Ｃ（Ｏ）−Ｎ（Ｒ１）−Ｚ、
のポリヒドロキシ脂肪酸アミド界面活性剤を含み、式中、Ｒ１は、Ｈ、又はＣ１〜４ヒドロカルビル、２−ヒドロキシエチル、２−ヒドロキシプロピル又はこれらの混合物であり、Ｒ２は、Ｃ５〜３１ヒドロカルビルであり、Ｚは、鎖に直接結合した少なくとも三つのヒドロキシルを有する直鎖ヒドロカルビル鎖を有するポリヒドロキシヒドロカルビル、又はそのアルコキシル化誘導体である。好ましくは、Ｒ１はメチルであり、Ｒ２は直鎖Ｃ１１〜１５アルキル又はＣ１６〜１８アルキル又はアルケニル鎖、例えばココナッツアルキル又はその混合物であり、Ｚは、還元型アミノ化反応におけるグルコース、フルクトース、マルトース、ラクトースのような還元糖に由来する。
【００８０】
一実施形態では、陰イオン性界面活性剤には、アルキルアルコキシル化サルフェート界面活性剤が挙げられ、これは式ＲＯ（Ａ）ｍＳＯ３Ｍの水溶性塩又は酸であり、式中、Ｒは非置換Ｃ１０〜Ｃ２４アルキル又はＣ１０〜Ｃ２４アルキル成分を有するヒドロキシアルキル基、好ましくはＣ１２〜Ｃ２０アルキル又はヒドロキシアルキル、より好ましくはＣ１２〜Ｃ１８アルキル又はヒドロキシアルキルであり、Ａはエトキシ又はプロポキシ単位であり、ｍは０より大きく、典型的には約０．５〜約６、より好ましくは約０．５〜約３であり、ＭはＨ、又は例えば金属陽イオン（例えばナトリウム、カリウム、リチウム、カルシウム、マグネシウムなど）、アンモニウム又は置換アンモニウム陽イオンとすることができる陽イオンである。アルキルエトキシ化サルフェート並びにアルキルプロポキシ化サルフェートが、本明細書において考察される。
【００８１】
親油性流体と組み合わせて補助剤として使用するのに好適なこれら及び他の界面活性剤は、当該技術分野で周知であり、より詳細にカーク・オスマー（Kirk Othmer）の工業化学百科事典（Encyclopedia of Chemical Technology）、第３版、第２２巻、３６０〜３７９頁、「界面活性剤及び洗剤システム（Surfactants and Detersive Systems）」に記載されており、本明細書に引用して援用する。更なる好適な非イオン性の洗浄性界面活性剤は、ラフリン（Laughlin）らに対して１９７５年１２月３０日に発行された米国特許第３，９２９，６７８号の１３段１４行〜１６段６行に概ね開示されており、本明細書に引用して援用する。
【００８２】
非シリコーン添加剤は、本発明の布地物品処理組成物中に存在する場合、好ましくは布地物品処理組成物の約０．００１重量％〜約１０重量％、より好ましくは約０．０２重量％〜約５重量％、更により好ましくは約０．０５重量％〜約２重量％含まれる。
【００８３】
非シリコーン添加剤は、本発明の消費可能な洗剤組成物中に存在する場合、好ましくは消費可能な洗剤組成物の約１重量％〜約９０重量％、より好ましくは約２重量％〜約７５重量％、更により好ましくは約５重量％〜約６０重量％含まれる。
【００８４】
（極性溶媒）
本発明の組成物は更に極性溶媒を含んでもよい。極性溶媒の非限定的な例には、水、アルコール、グリコール、ポリグリコール、エーテル、カーボネート、二塩基性エステル、ケトン、他の酸素化溶媒、及びこれらの混合物などが挙げられる。アルコールの他の例には：Ｃ１〜Ｃ１２６アルコール、例えば、プロパノール、エタノール、イソプロピルアルコールなど、ベンジルアルコール、及び１，２−ヘキサンジオールなどのジオールなどが挙げられる。ダウ・ケミカル社（Dow Chemical）からのダウアノール（Dowanol）シリーズは、本発明に有用なグリコール、及びポリグリコールの例であり、例えば、ダウアノール（Dowanol）ＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。他の例には、プロピレングリコール、ブチレングリコール、ポリブチレングリコール、更に疎水性のグリコールなどが挙げられる。カーボネート溶媒の例には、エチレン、プロピレン、及びブチレンカーボネート、例えばジェフソル（Jeffsol）の商標名で入手可能なものなどがある。本発明用の極性溶媒は、分散性（δＤ）、極性（δＰ）及び水素結合（δＨ）ハンセン溶解度パラメータによって更に同定することができる。好ましい極性溶媒又は極性溶媒混合物は、極性分率の値（ｆＰ）及び水素結合分率の値（ｆＨ）が、ｆＰ＞０．０２、及びｆＨ＞０．１０であり、ここでｆＰ＝δＰ／（δＤ＋δＰ＋δＨ）及びｆＨ＝δＨ／（δＤ＋δＰ＋δＨ）、更に好ましくはｆＰ＞０．０５及びｆＨ＞０．２０、最も好ましくはｆＰ＞０．０７、及びｆＨ＞０．３０である。
【００８５】
本発明の洗剤組成物では、極性溶媒の濃度は、洗剤組成物の約０〜約７０重量％、好ましくは１〜５０重量％、更に好ましくは１〜３０％重量とすることができる。
【００８６】
水が本発明の洗浄流体布地物品処理組成物中に存在する場合、洗浄流体組成物は洗浄流体布地物品処理組成物の約０．００１重量％〜約１０重量％、より好ましくは約０．００５重量％〜約５重量％、更により好ましくは約０．０１重量％〜約１重量％含まれてもよい。
【００８７】
水が本発明の洗剤組成物中に存在する場合、好ましくは消費可能な洗剤組成物の約１重量％〜約９０重量％、より好ましくは約２重量％〜約７５重量％、更により好ましくは約５重量％〜約４０重量％含まれる。
【００８８】
（加工助剤）
任意選択的に、本発明の組成物は加工助剤を更に含んでもよい。加工助剤は、消費可能な洗剤組成物の流動性及び／又は均一性を維持し、及び／又は希釈プロセスを助けることにより、本発明の布地物品処理組成物の形成を促進する。本発明に好適な加工助剤は溶媒であり、好ましくは上述のもの以外の溶媒、ヒドロトロープ、及び／又は界面活性剤、好ましくは界面活性剤成分に関する上述のもの以外の界面活性剤である。特に好ましい加工助剤は、脂肪族アルコール、ジオール、トリオールなどのプロトン性溶媒、及びエトキシル化脂肪族アルコールなどの非イオン性界面活性剤である。
【００８９】
加工助剤が本発明の布地物品処理組成物中に存在する場合、好ましくは布地物品処理組成物の約０．０２重量％〜約１０重量％、より好ましくは約０．０５重量％〜約１０重量％、更により好ましくは約０．１重量％〜約１０重量％含まれる。
【００９０】
加工助剤が本発明の消費可能な洗剤組成物中に存在する場合、好ましくは消費可能な洗剤組成物の約１重量％〜約７５重量％、より好ましくは約５重量％〜約５０重量％含まれる。
【００９１】
（洗浄補助剤）
本発明の組成物は、任意選択的に１種類以上の他の洗浄補助剤を更に含んでもよい。任意選択的な洗浄補助剤は、広範にわたって異なってもよく、広範にわたる濃度で使用することができる。
【００９２】
好適な洗浄補助剤には、ビルダー、界面活性剤、界面活性剤成分に関する前述のもの以外、酵素、漂白活性化剤、漂白触媒、漂白促進剤、漂白剤、アルカリ供給源、抗菌剤、着色剤、香料、副香料、仕上げ助剤、石灰石鹸分散剤、賦香剤、臭気中和剤、ポリマー移染抑制剤、結晶成長抑制剤、光漂白剤、重金属イオン封鎖剤、変色防止剤、抗微生物剤、酸化防止剤、再付着防止剤、汚れ放出ポリマー、電解質、ｐＨ調整剤、増粘剤、研磨剤、２価又は３価のイオン、金属イオン塩、酵素安定剤、腐食抑制剤、ジアミン又はポリアミン及び／又はそのアルコキシレート、泡安定化ポリマー、溶媒、加工助剤、布地柔軟化剤、蛍光増白剤、ヒドロトロープ、泡又は泡抑制剤、泡又は泡促進剤、及びこれらの混合物などが挙げられるが、これらに限定されない。
【００９３】
仕上げ剤として任意選択的に使用されてもよい好適な賦香剤には、シクロデキストリン、臭気中和剤、臭気遮断剤、及びこれらの混合物などが挙げられる。好適な臭気中和剤には、アルデヒド、フラボノイド、金属性塩、水溶性ポリマー、ゼオライト、活性炭及びこれらの混合物が挙げられる。
【００９４】
本発明の組成物に有用な香料及び香料的成分は、様々な天然及び合成の化学成分を含み、アルデヒド、ケトン、及びエステルなどが挙げられるが、これらに限定されない。オレンジ油、レモン油、バラ抽出物、ラベンダー、麝香、パチョリ、バルサムのエキス、白檀油、松根油、スギなどのような成分の複雑な混合物を含み得る、種々の天然の抽出物及びエキスもまた含まれる。完成した香料は、このような成分の極めて複雑な混合物を含んでよい。副香料も本発明で有用である。そのような物質は、化学的に反応可能なそれらの前駆体又は混合物であり、例えば加水分解により香料を放出し、そしてプロクター・アンド・ギャンブル社（Procter & Gamble）、フィルメニッチ（Firmenich）、ギボウダン（Givaudan）に対して発行された特許及び／又は公開特許出願に記載されている。
【００９５】
漂白剤、特に酸素漂白剤は、本発明の組成物中に使用するのに好適な別の種類の洗浄補助剤である。これは特に、ノンアノイルオキシベンゼンスルホネート及び／又はその直鎖状又は分枝鎖状の高級又は低級類似体のいずれか、及び／又はテトラアセチルエチレンジアミン及び／又はその誘導体のいずれか、又はフタロイルイミドペルオキシカプロン酸（ＰＡＰ；オージモント（Ausimont）ＳｐＡからユーロコ（Euroco）の商品名で入手可能）の誘導体、又はラクタム型を含む他のイミド−又はアミド−置換漂白活性化剤、又はより一般的に親水性及び／若しくは疎水性漂白活性化剤のいずれかの混合物（特に、Ｃ６〜Ｃ１６置換オキシベンゼンスルホネートのものを含むアシル誘導体）のような漂白活性化剤に関して活性化及び触媒化型の場合である。
【００９６】
ＰＡＰ及びＰＡＰ以外のものを含む有機又は無機過酸も好適である。本発明で使用される好適な有機又は無機過酸には、過カルボン酸及び塩、過炭酸及び塩、過イミド酸及び塩、ペルオキシモノ硫酸及び塩、モノペルサルフェートのようなペルサルフェート、ジペルオキシドデカンジオン酸（ＤＰＤＡ）のようなペルオキシ酸、ペルオキシフタル酸マグネシウム、過ラウリン酸、過安息香酸及びアルキル過安息香酸及びこれらの混合物が挙げられるが、これらに限定されない。
【００９７】
プロテアーゼ、アミラーゼ、セルラーゼ、リパーゼ等の洗浄性酵素、並びにマンガン又は類似の遷移金属を有し大環状型を含む漂白触媒は、全て洗濯製品及び洗浄製品に有用であり、本発明で非常に低濃度又は一般的ではないが、より高濃度で使用できる。触媒作用的である洗濯添加剤、例えば酵素は、「順方向」又は「逆方向」モードで使用できる。例えば、リポラーゼ又は他の加水分解酵素を、任意選択的にアルコールの存在下で洗濯添加剤として使用し、脂肪酸をエステルに転換してもよく、これにより親油性流体中での溶解度が増大する。
【００９８】
市販品として入手可能な仕上げポリマーの非限定的な例は、ＧＡＦケミカルズ社（GAF Chemicals Corporation）から入手可能な分子量約１００，０００のコポリマー９５８（登録商標）及び分子量約１，０００，０００のコポリマー９３７のようなポリビニルピロリドン／ジメチルアミノエチルメタクリレートコポリマー；サンドズケミカルズ社（Sandoz Chemicals Corporation）から入手可能なカーターチン（Cartaretin）Ｆ−４（登録商標）及びＦ−２３のようなアジピン酸／ジメチルアミノヒドロキシプロピルジエチレントリアミンコポリマー；三菱化学から入手可能なジアフォーマーＺ−ＳＭ（登録商標）のようなメタクリロイルエチルベタイン／メタクリレートコポリマー；エア・プロダクツ（Air Products）から入手可能なビネックス（Vinex）２０１９及びクラリアント（Clariant）から入手可能なケミカルズ（Chemicals）又はモウェオール（Moweol）（登録商標）のようなポリビニルアルコールコポリマー樹脂；ハーキュレス社（Hercules Incorporated）から入手可能なデルセット（Delsette）１０１（登録商標）のようなアジピン酸／エポキシプロピルジエチレントリアミンコポリマー；サイテックインダストリーズ（Cytec Industries）から入手可能なシプロ５１５（登録商標）のようなポリアミン樹脂；ハーキュレス社（Hercules Incorporated）から入手可能なキメン５５７Ｈ（登録商標）のようなポリ第四級アミン樹脂；並びにＢＡＳＦから入手可能なソカラン（Sokalan）ＥＧ３１０（登録商標）のようなポリビニルピロリドン／アクリル酸である。
【００９９】
洗浄補助剤はまた、静電気防止剤であってもよい。従来の洗濯及びドライクリーニングで使用される任意の好適な周知の静電気防止剤は、本発明の組成物及び方法に用いるのに好適である。静電気防止剤として特に適しているのは、静電気防止効果をもたらすことで知られている布地柔軟剤の一部である。例えば、Ｎ，Ｎ−ジ（タロ−オイル−オキシ−エチル）−Ｎ，Ｎ−ジメチルアンモニウムメチルサルフェートのような、ヨウ素価が２０以上の脂肪族アシル基を有する布地柔軟剤である。しかし、静電気防止剤という用語は、この一部の布地柔軟剤だけに限らず、全ての静電気防止剤を含むということが理解されるべきである。
【０１００】
本発明の組成物において有用な、好ましい防虫及び防蛾洗浄補助剤は、シトロネロール、シトロネラール、シトラール、リナロール、スギ抽出物、ゼラニウム油、白檀油、２−（ジエチルフェノキシ）エタノール、１−ドデセンなどの香料成分である。本発明の組成物において有用な防虫及び／又は防蛾剤の他の例は、米国特許番号第４，４４９，９８７号、第４，６９３，８９０号、第４，６９６，６７６号、第４，９３３，３７１号、第５，０３０，６６０号、第５，１９６，２００号、及び「多様な昆虫種に対する風味及び芳香分子の信号作用（Semio Activity of Flavor and Fragrance Molecules on Various Insect Species）」（Ｂ．Ｄ．ムックハージー（B. D. Mookherjee）ら）、植物からの生物活性揮発性化合物（Bioactive Volatile Compounds from Plants）において公開、ＡＳＣシンポジウムシリーズ５２５（Ｒ．テラニシ、Ｒ．Ｇ．バタリー（R. G. Buttery）、及びＨ．スギサワ）、１９９３年、３５〜４８頁に開示されており、前記特許及び前記出版物の全てを本明細書に引用して援用する。
【０１０１】
（本発明の方法）
本発明の方法は、洗浄する必要のある布地物品をシリコーン含有ポリマーと接触させることを含む。このような方法は、布地物品と親油性流体とが接触する前に、シリコーン含有ポリマーを含有する消費可能な洗剤組成物によって布地物品を前処理するようなプロセスを含む。本発明のもう一つの方法は、好ましくは自動洗濯機において、洗浄する必要のある布地物品を、親油性流体とシリコーン含有ポリマーとを含む洗浄組成物と接触させるものである。
【国際公開パンフレット】
2005502773.tif 000011
2005502773.tif 000012
2005502773.tif 000013
2005502773.tif 000014
2005502773.tif 000015
2005502773.tif 000016
2005502773.tif 000017
2005502773.tif 000018
2005502773.tif 000019
2005502773.tif 000020
2005502773.tif 000021
2005502773.tif 000022
2005502773.tif 000023
2005502773.tif 000024
2005502773.tif 000025
2005502773.tif 000026
2005502773.tif 000027
2005502773.tif 000028
2005502773.tif 000029
2005502773.tif 000030
2005502773.tif 000031
2005502773.tif 000032
2005502773.tif 000033
2005502773.tif 000034
2005502773.tif 000035
2005502773.tif 000036
【国際調査報告】
2005502773.tif 000037
2005502773.tif 000038
2005502773.tif 000039
2005502773.tif 000040